【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
常時入球可能な第１特図始動口と、可変入賞装置内に設けた第２特図始動口と、普図作動口とを備え、
前記第１特図始動口、又は前記第２特図始動口への入球に起因して当否を判定する特図当否判定手段と、
前記普図作動口への入球に起因して当否を判定する普図当否判定手段と、
該普図当否判定手段が当選と判定したことに基づいて、前記可変入賞装置を開放させる普図当り遊技と、
前記特図当否判定手段が小当りと判定したことに基づいて特定領域を備えた大入賞口を開放する小当り遊技と、
前記特図当否判定手段が大当りと判定、又は前記小当り遊技にて遊技球が前記特定領域を通過したことに基づいて実行する大当り遊技と、
該大当り遊技終了後に前記可変入賞装置への入球が通常遊技状態時より容易となる開放延長状態を付与可能な弾球遊技機であって、
所定の発射強度未満の発射強度で発射された遊技球が主に流下する第１遊技領域と、所定の発射強度以上の発射強度で発射された遊技球が主に流下する第２遊技領域とを設け、
前記第１遊技領域には少なくとも前記普図作動口と前記第１特図始動口と、前記第２遊技領域には少なくとも前記普図作動口と前記可変入賞装置とをそれぞれ配し、
前記特図当否判定手段が前記小当りと判定する確率は、前記第１特図始動口への入球に起因するよりも前記第２特図始動口への入球に起因する方を高くするとともに、前記特定領域の通過率は、前記第１特図始動口への入球に起因する前記小当り遊技と前記第２特図始動口への入球に起因する前記小当り遊技とで異なり、
前記大当り遊技、又は前記開放延長状態は前記第２特図始動口への入球に起因する方が有利とし、
演出表示装置を備え、該演出表示装置では、少なくとも前記小当り遊技時に前記特定領域への入球を期待させる演出を行なう構成で、少なくとも前記通常遊技状態では、前記第１特図始動口への入球を起因とした小当りか前記第２特図始動口への入球を起因とした小当りかで前記演出の内容を異なるものとする
ことを特徴とする弾球遊技機。
【請求項２】
常時入球可能な第１特図始動口と、可変入賞装置内に設けた第２特図始動口と、普図作動口とを備え、
前記第１特図始動口、又は前記第２特図始動口への入球に起因して当否を判定する特図当否判定手段と、
前記普図作動口への入球に起因して当否を判定する普図当否判定手段と、
該普図当否判定手段が当選と判定したことに基づいて、前記可変入賞装置を開放させる普図当り遊技と、
前記特図当否判定手段が小当りと判定したことに基づいて特定領域を備えた大入賞口を開放する小当り遊技と、
前記特図当否判定手段が大当りと判定、又は前記小当り遊技にて遊技球が前記特定領域を通過したことに基づいて実行する大当り遊技と、
該大当り遊技終了後に前記可変入賞装置への入球が通常遊技状態時より容易となる開放延長状態を付与可能な弾球遊技機であって、
所定の発射強度未満の発射強度で発射された遊技球が主に流下する第１遊技領域と、所定の発射強度以上の発射強度で発射された遊技球が主に流下する第２遊技領域とを設け、
前記第１遊技領域には少なくとも前記普図作動口と前記第１特図始動口と、前記第２遊技領域には少なくとも前記普図作動口と前記可変入賞装置とをそれぞれ配し、
前記特図当否判定手段が前記小当りと判定する確率は、前記第１特図始動口への入球に起因するよりも前記第２特図始動口への入球に起因する方を高くするとともに、前記特定領域の通過率は、前記第１特図始動口への入球に起因する前記小当り遊技と前記第２特図始動口への入球に起因する前記小当り遊技とで異なり、
前記大当り遊技、又は前記開放延長状態は前記第２特図始動口への入球に起因する方が有利とし、
演出表示装置を備え、該演出表示装置では、少なくとも第１特図始動口への入球を起因とした当否の判定結果に基づく演出表示を行う構成で、該演出表示は、前記大当りか否かの判定結果を演出表示する第１演出表示と、前記小当りか否かの判定結果を演出表示する第２演出表示とを同時に実施可能とする
ことを特徴とする弾球遊技機。
【手続補正２】
【補正対象書類名】明細書
【補正対象項目名】０００９
【補正方法】変更
【補正の内容】
【０００９】
請求項１記載の弾球遊技機は、
常時入球可能な第１特図始動口と、可変入賞装置内に設けた第２特図始動口と、普図作動口とを備え、
前記第１特図始動口、又は前記第２特図始動口への入球に起因して当否を判定する特図当否判定手段と、
前記普図作動口への入球に起因して当否を判定する普図当否判定手段と、
該普図当否判定手段が当選と判定したことに基づいて、前記可変入賞装置を開放させる普図当り遊技と、
前記特図当否判定手段が小当りと判定したことに基づいて特定領域を備えた大入賞口を開放する小当り遊技と、
前記特図当否判定手段が大当りと判定、又は前記小当り遊技にて遊技球が前記特定領域を通過したことに基づいて実行する大当り遊技と、
該大当り遊技終了後に前記可変入賞装置への入球が通常遊技状態時より容易となる開放延長状態を付与可能な弾球遊技機であって、
所定の発射強度未満の発射強度で発射された遊技球が主に流下する第１遊技領域と、所定の発射強度以上の発射強度で発射された遊技球が主に流下する第２遊技領域とを設け、
前記第１遊技領域には少なくとも前記普図作動口と前記第１特図始動口と、前記第２遊技領域には少なくとも前記普図作動口と前記可変入賞装置とをそれぞれ配し、
前記特図当否判定手段が前記小当りと判定する確率は、前記第１特図始動口への入球に起因するよりも前記第２特図始動口への入球に起因する方を高くするとともに、前記特定領域の通過率は、前記第１特図始動口への入球に起因する前記小当り遊技と前記第２特図始動口への入球に起因する前記小当り遊技とで異なり、
前記大当り遊技、又は前記開放延長状態は前記第２特図始動口への入球に起因する方が有利とし、
演出表示装置を備え、該演出表示装置では、少なくとも前記小当り遊技時に前記特定領域への入球を期待させる演出を行なう構成で、少なくとも前記通常遊技状態では、前記第１特図始動口への入球を起因とした小当りか前記第２特図始動口への入球を起因とした小当りかで前記演出の内容を異なるものとする
ことを特徴とする弾球遊技機である。
【手続補正３】
【補正対象書類名】明細書
【補正対象項目名】００１７
【補正方法】変更
【補正の内容】
【００１７】
請求項２記載の弾球遊技機は、
常時入球可能な第１特図始動口と、可変入賞装置内に設けた第２特図始動口と、普図作動口とを備え、
前記第１特図始動口、又は前記第２特図始動口への入球に起因して当否を判定する特図当否判定手段と、
前記普図作動口への入球に起因して当否を判定する普図当否判定手段と、
該普図当否判定手段が当選と判定したことに基づいて、前記可変入賞装置を開放させる普図当り遊技と、
前記特図当否判定手段が小当りと判定したことに基づいて特定領域を備えた大入賞口を開放する小当り遊技と、
前記特図当否判定手段が大当りと判定、又は前記小当り遊技にて遊技球が前記特定領域を通過したことに基づいて実行する大当り遊技と、
該大当り遊技終了後に前記可変入賞装置への入球が通常遊技状態時より容易となる開放延長状態を付与可能な弾球遊技機であって、
所定の発射強度未満の発射強度で発射された遊技球が主に流下する第１遊技領域と、所定の発射強度以上の発射強度で発射された遊技球が主に流下する第２遊技領域とを設け、
前記第１遊技領域には少なくとも前記普図作動口と前記第１特図始動口と、前記第２遊技領域には少なくとも前記普図作動口と前記可変入賞装置とをそれぞれ配し、
前記特図当否判定手段が前記小当りと判定する確率は、前記第１特図始動口への入球に起因するよりも前記第２特図始動口への入球に起因する方を高くするとともに、前記特定領域の通過率は、前記第１特図始動口への入球に起因する前記小当り遊技と前記第２特図始動口への入球に起因する前記小当り遊技とで異なり、
前記大当り遊技、又は前記開放延長状態は前記第２特図始動口への入球に起因する方が有利とし、
演出表示装置を備え、該演出表示装置では、少なくとも第１特図始動口への入球を起因とした当否の判定結果に基づく演出表示を行う構成で、該演出表示は、前記大当りか否かの判定結果を演出表示する第１演出表示と、前記小当りか否かの判定結果を演出表示する第２演出表示とを同時に実施可能とする
ことを特徴とする弾球遊技機である。
【手続補正４】
【補正対象書類名】明細書
【補正対象項目名】００２２
【補正方法】削除
【補正の内容】
【手続補正５】
【補正対象書類名】明細書
【補正対象項目名】００２７
【補正方法】削除
【補正の内容】